【事件の表示】
　特許第２７８９０２１号「肩パット素材の挾持具及びこの肩パット素材の挾持具を使用した肩パット体の縫製法」の請求項１ないし２に係る特許に対する特許異議の申立てについて、次のとおり決定する。
【結論】
　訂正を認める。
　特許第２７８９０２１号の請求項１ないし２に係る特許を維持する。
【理由】
Ｉ．手続きの経緯
　本件特許第２７８９０２１号発明は、平成６年１０月３１日に特許出願され、平成１０年６月１２日にその特許の設定登録がなされ、その後、小船啓二より特許異議の申立てがなされ、取消理由通知がなされ、その指定期間内である平成１１年７月１９日に意見書の提出とともに訂正請求がなされたものである。
ＩＩ．訂正の適否についての判断
（１）訂正の要旨
　本件の訂正の要旨は、特許請求の範囲の請求項２の
「肩パット中材を円弧カット片状の上下の肩パット生地間に挟んだ肩パット素材を挟持具の上部挟持板に止着した湾曲上型と下部挟持仮に止着した湾曲習い板を下側に添着した湾曲下型とにより揃った状態に重合して挟持し、この挟持された肩パット生地の周囲を湾曲習い型の周縁に添わせて習いミシン掛けにより肩パット素材を縫製することを特徴とする肩パット素材の挟持具を使用した肩バット体の縫製法。」という記載を、
「肩パット中材を円弧カット片状の上下の肩パット生地間に挟んだ肩パット素材を請求項１記載肩パット素材の挟持具の上部挟持板に止着した湾曲上型と下部扶持仮に止着した湾曲習い板を下側に添着した湾曲下型とにより揃った状態に重合して扶持し、この扶持された肩パット生地の周囲を湾曲習い型の周縁に添わせて習いミシン掛けにより肩パット素材を縫製することを特徴とする肩パット素材の挟持具を使用した肩パット体の縫製法。」と訂正しようとするものである。
（２）訂正の目的の適否、新規事項の追加及び拡張・変更の存否
　前記訂正は特許請求の範囲の減縮に該当し、新規事項の追加に該当せず、実質的に特許請求の範囲を拡張又は変更するものではない。
（３）独立特許要件の判断
１）引用刊行物に記載された発明
　特許請求の範囲の請求項２に係る発明に対して、
当審が通知した取消理由で引用した実願昭６０−１６３８２１号（実開昭６２−７３８８３号）のマイクロフィルム（特許異議申立人提出の甲第１号証）には概略以下の点が記載されている。
　肩パット縫製用治具に関するものであり、６頁１〜１３行には「連結具（３）はちょう番形式であって、ボルト・ナット（６）または溶接により上部挟持板（１）の上面に一体化される第１連結板（３ａ）と、ボルト・ナット（７）または溶接により立上り片（２ｃ）の外面に一体化される第２連結板（３ｂ）と、両連結板（３ａ）（３ｂ）間を連結するピン（３ｃ）とにより構成される。なお、閉動付勢するばねを組込んだものでもよい。前記上部挟持板（１）は湾曲縁（１ｂ）から上方への起立片を有し、この起立片を第１被ガイド部（８）としている。また上部挟持板（１）の上面で湾曲部（１ｂ）から所定距離（１３）内側に位置した箇所には丸棒状の第２被ガイド部（９）が配設され、且つ溶接などにより一体化されている。」と記載され、第１図を参酌すると、第１連結板（３ａ）の下面に肩パット形成用の上部挟持板（１）の中程を固定していることがわかり、第１図および第３図を参酌すると、第２連結板（３ｂ）の側面に肩パット形成用の下部挟持板（２）の中程を固定していることがわかる。また７頁１９行〜８頁６行には、「まず第１図に示すように、従来と同様にして芯材（１１）を被覆布（１２）でくるんだ素材（１０）を準備する。そして両挟持板（１）（２）を、連結具（３）を介して開動させたのち、これら挟持板（１）（２）間に素材（１０）を挿入し、セットする。次いで挟持板（１）（２）を閉動させることによりサンドイッチ状に挟持する。そして両挟持板（１）（２）の湾曲縁（１ｂ）（２ｂ）よりも外側に露出する素材部分をメス付きかがり縫いミシンにかける。」と記載されている。さらに、８頁１４行〜９頁３行には、「ミシンを作動させ、治具を第２図矢印（Ａ）の方向に移動させる。すると第４図に示すように、ミシン針（１８）が上部挟持板（１）の湾曲縁（１ｂ）から所定距離（１４）外側を通るようにかがり縫いを行ない、また一定位置で素材（１０）の外周部をメス（１９）がカットすることになる。その際に前述したように、第１被ガイド部（８）が第１ガイド部（２０）に案内され、また第２被ガイド部（９）が第２ガイド部（２２）に案内されることから、かがり縫いやカットは設計通りの滑らかなカーブ上で行なわれる。」と記載されている。　
２）本件請求項２に係る発明と引用刊行物記載の発明との対比・判断
　訂正後の本件請求項２に係る発明と引用刊行物記載の発明とを対比すると、両者は上下の板体間に肩パット素材を挟み、習い部材に添ってミシン掛けをする、治具を使用する肩パット体の縫製方法である点で一致する。しかし、後者には肩パット素材の挟持具の構成において、「上部握持体と下部握持体を握持することにより上部挟持板と下部挟持板で肩パット素材を挟持できるようにした」点が記載されていない。本件請求項２に係る発明は前記構成を有することにより、手作業により肩パット体を縫製する場合、高度の技術を要する熟練した職人の手作業が必要でなく、能率が良く量産が可能であるという特有の効果を奏するものであり、本件請求項２に係る発明が引用刊行物記載の発明であるとはいえない。
　したがって、本件請求項２に係る発明は特許出願の際独立して特許を受けることができない発明とすることはできない。
　また、他に特許出願の際独立して特許を受けることができない発明とする理由もない。
（４）むすび
　以上のとおりであるから、前記訂正請求は、特許法第１２０条の４第２項及び同第３項で準用する第１２６条第２〜４項の規定に適合するので、当該訂正を認める。
ＩＩＩ．特許異議の申立てについての判断
（１）本件発明
　本件の請求項１および請求項２に係る発明は、平成１１年７月１９日付けで提出された訂正明細書の特許請求の範囲の請求項１および請求項２に記載された以下のとおりのものである。
「【請求項１】上部握持体と下部握持体を握持することにより上部挟持板と下部挟持板で肩パット素材を挟持できるように設けた挟持其の上部挟持板の下面に肩パット体形成用の湾曲上型の中程を止着し、下部挟持板の上面に肩パット体形成用の湾曲下型と湾曲下型の下側に添着した肩パット縫製用の湾曲習い板との中程を止着し、この湾曲上型と湾曲習い板を下側に添着した下部挟持板との間に型パット素材を挟持具により挟持して肩パット縫製を行うように設けたことを特徴とする肩パット素材の挟持具。
【請求項２】肩パット中材を円弧カット片状の上下の肩パット生地間に挟んだ肩パット素材を請求項１記載の肩パット素材の挟持其の上部挟持板に止着した湾曲上型と下部挟持仮に止着した湾曲習い板を下側に添着した湾曲下型とにより揃った状態に重合して挟持し、この挟持された肩パット生地の周囲を湾曲習い型の周縁に添わせて習いミシン掛けにより肩パット素材を縫製することを特徴とする肩パット素材の挟持具を使用した肩パット体の縫製法。」
（２）申立ての理由の概要
　申立人・小船啓二は、本件の請求項１に係る発明は証拠として提出した、甲第１号証（実願昭６０−１６３８２１号《実開昭６２−７３８８３号》のマイクロフィルム・・・取消理由通知で引用した刊行物）および甲第２号証（実公昭６０−１８２２２号公報）記載の発明に基づいて当業者が容易になし得たものであるから、特許法
第２９条第２項の規定に違反して特許されたものであり、請求項２に係る発明は甲第１号証記載の発明であるから、特許法第２９条第１項第３号の規定に違反して特許されたものであり、特許を取り消すべきであると主張している。
（３）申立人が提出した甲各号証記載の発明
甲第１号証
　前記ＩＩ−（３）−１）の記載参照。
甲第２号証
　袋物縫着用治具に関するものであり、３欄３１〜３３行には「一対の挟止片１４の相互間にネジリコイルバネや板バネ等の弾発体１５が介装された挟持具１６」と記載され、４欄２３〜２６行には、「挟持具１６を前後挟持板３、４の長手方向中央部の基準目盛１２付近まで伸長させて袋物Ｓの上部開口縁部の折返部長手方向中央部を挟持する。」と記載されている。　　
（４）本件請求項１および請求項２に係る発明と異議申立人が提出した甲各号証記載の発明との対比・判断
１）請求項１に係る発明について
　本件請求項１に係る発明と異議申立人が提出した甲第１号証および甲第２号証記載の発明とを対比すると、後者にはそのいずれにも、肩パット素材の挟持具において、「上部握持体と下部握持体を握持することにより上部挟持板と下部挟持板で肩パット素材を挟持できるようにした」点が記載されておらず、示唆もされていない。本件請求項１に係る発明は前記構成を有することにより、手作業により肩パット体を縫製する場合、肩パット生地に皺ができたり、出来上がりの形が崩れたりすることがなく、それぞれの体形に合った各種の湾曲度と輪郭を持つ湾曲上型、湾曲下型と湾習い板を各種製作して夫々の上部挟持板、下部挟持板に止着し、使用目的に合った肩パット体を縫製することができるという特有の効果を奏するものであり、本件請求項１に係る発明が甲第１号証および甲第２号証記載の発明に基づいて当業者が容易に発明をすることができたものであるとはいえない。
　申立人は、挟持具に上部握持体と下部握持体を設けることは甲第２号証に記載されている旨主張する。しかし、甲第２号証記載の挟持具は、袋物上部開口縁部の折返部を挟持する前後挟持板を挟持するものであって、型る挟持板を備えた挟持具ではなく、これを甲第１号証記載の発明に適用しても本件請求項１に係る発明を得ることはできない。
２）請求項２に係る発明について
　本件請求項２に係る発明についての申立人の主張に対する判断は前記ＩＩ−（３）−２）記載のとおりであ
る。
（５）むすび
　したがって、特許異議の申立ての理由及び証拠によっては、本件特許請求の範囲の請求項１および請求項２に係る発明に対する特許を取り消すことはできない。　また、他に本件特許請求の範囲の請求項１および請求項２に係る発明に対する特許を取り消すべき理由を発見しない。
　よって、結論のとおり決定する。
【異議決定日】
平成１１年８月４日（１９９９．８．４）
【訂正の要旨】
訂正の要旨
　特許第２７８９０２１号発明の明細書を、
特許請求の範囲の減縮を目的として、請求項２の
「肩パット中材を円弧カット片状の上下の肩パット生地間に挟んだ肩パット素材を挟持具の上部挟持板に止着した湾曲上型と下部挟持仮に止着した湾曲習い板を下側に添着した湾曲下型とにより揃った状態に重合して挟持し、この挟持された肩パット生地の周囲を湾曲習い型の周縁に添わせて習いミシン掛けにより肩パット素材を縫製することを特徴とする肩パット素材の挟持具を使用した肩パット体の縫製法。」
という記載を、
「肩パット中材を円弧カット片状の上下の肩パット生地間に挟んだ肩パット素材を請求項１記載の肩パット素材の挟持具の上部挟持板に止着した湾曲上型と下部挟持仮に止着した湾曲習い板を下側に添着した湾曲下型とにより揃った状態に重合して挟持し、この挟持された肩パット生地の周囲を湾曲習い型の周縁に添わせて習いミシン
掛けにより肩パット素材を縫製することを特徴とする肩パット素材の挟持具を使用した肩パット体の縫製法。」
と訂正する。
（５４）【発明の名称】
肩パット素材の挾持具及びこの肩パット素材の挾持具を使用した肩パット体の縫製法
（５７）【特許請求の範囲】
　　【請求項１】　上部握持体と下部握持体を握持することにより十部挾持板と下部挾持板で肩バット素材を挾持できるように設けた挾持具の上部挾持板の下面に肩パット体形成用の湾曲上型の中程を止着し、下部挾持板の上面に肩パット体形成用の湾曲下型と湾曲下型の下側に添着した肩パット縫製用の湾曲習い板との中程を止着し、この湾曲上型と湾曲習い板を下側に添着した下部挾持板との間に肩パット素材を挾持具により挾持して肩パット縫製を行うように設けたことを特徴とする肩パット素材の挾持具。
　　【請求項２】　肩パット中材を円弧カット片状の上下の肩パット生地間に挾んだ肩パット素材を載の肩パット素材の挾持具の上部挾持仮に止着した湾曲上型と下部挾持仮に止着した湾曲習い板を下側に添着した湾曲下型とにより揃った状態に重合して挾持し、この挾持された肩パット生地の周囲を湾曲習い型の周縁に添わせて習いミシン掛けにより肩パット素材を縫製することを特徴とする肩パット素材の挾持具を使用した肩パット体の縫製法。
【発明の詳細な説明】
　　　【０００１】
　　【産業上の利用分野】
　本発明は肩パット体を製造する際に使用する肩パット素材の挾持具及びこの肩パット素材の挾持具を使用した肩パット体の縫製法に係るものである。
　　　【０００２】
　　【従来の技術及び発明が解決しようとする課題】
　従来より肩パット体の縫製は、パット綿体のような肩パット中材を円弧カット片状の上下二枚の肩パット生地布で挾んで肩パット素材を構成し、この肩パット素材の周縁部をロックミシン等によりかがり縫いして切断して所定の形状の肩パット体を製造していたが、肩パット中材がふわふわとして弾力があるため所定の形状にミシン掛けすることが困難なうえに、出来上がった肩パット体の下面が人の肩先上面部から頚根上面部にかけて人の体形に柔らかにフィットし、且つ肩パット体の上面が洋服を着た人の体形を美しく見せる形状に形成することが要求されるため、肩先部から頚根部にかけて肩パット中材が次第に薄くなり、各断面における上下の肩パット生地の湾曲度が夫々異なり、手縫いの場合でもややもすると湾曲度の違いによりどちらかの肩パット生地に皺ができたり、出来上がった肩パット体の形がまちまちであったりするので、肩パット体の縫製には高度の技術を要する熟練した職人の手作業に頼らざるを得なかった。
　　　【０００３】
　本発明は上記の欠点を解決するため、肩パット素材を挾持具の上部挾持板に止着した湾曲上型と下部挾持板に止着した湾曲下型とにより揃った状態に重合して挾持し、下部挾持仮に止着した湾曲習い体にそわして習いミシン掛けすることにより、熟練度を必要せずに同一の形状で容易に肩パット体の量産が可能な、肩パット素材の挾持具及びこの肩パット素材の扶持具を使用した肩パット体の縫製法を提供することを技術的課題とするものである。
　　　【０００４】
　　【課題を解決するための手段】
　添付図面を参照して本発明の要旨を説明する。　
　　　【０００５】
　上部握持体１と下部握持体２を握持することにより上部挾持板３と下部挾持板４で肩パット素材Ｗを挾持できるように設けた挾持具ａの土部挾持板３の下面に肩パット体形成用の湾曲上型５の中程を止着し、下部挾持板４の上面に肩パット体形成用の湾曲下型６と湾曲下型６の下側に添着した肩パット縫製用の湾曲習い板７との中程を止着し、この湾曲上型５と湾曲習い板７を下側に添着した下部扶持板６との間に肩パット素材Ｗを挾持具ａにより挾持して肩パット縫製を行うように設けたことを特徴とする肩パット素材の挾持具に係るものである。
　　　【０００６】
　また、肩パット中材Ｗ１を円弧カット片状の上下の肩パット生地Ｗ２，Ｗ３間に挾んだ肩パット素材Ｗを
請求項１記載の肩パット素材Ｗの
　　　【０００７】
　　【作用】
　請求項１記載の作用について説明する。
　　　【０００８】
　上部挾持板３の下面に止着した肩パット体形成用の湾曲上型５と、下部挾持板４の上面に止着した肩パット体形成用の湾曲下型６との間に肩パット素材Ｗを挾持具ａにより挾持すると、肩パット素材Ｗの上面が湾曲上型５の下面の湾曲面に、肩パット素材Ｗの下面が湾曲下型６の上面の湾曲面に倣った所望の形で抑圧成形されて肩パット素材Ｗが挾持具ａにしっかりと挾持されるので、湾曲下型６の下側に添着した肩パット縫製用の湾曲習い板７により肩パット素材Ｗを習い縫製する。
　　　【０００９】
　請求項２記載の作用について説明する。
　　　【００１０】
　挾持具ａの上部挾持板３に止着した湾曲上型５と、下部挾持板４に止着した湾曲習い板７を下側に添着した湾曲下型６との間に、肩パット中材Ｗ１を円弧カット片状の上下の肩パット生地ｗ２，ｗ３間に挾んだ肩パット素材Ｗを揃った状態に重合して挾持すると、肩パット素材Ｗの肩パット生地ｗ２が湾曲上型５の下面の湾曲面に、肩パット素材Ｗの肩パット生地ｗ３が湾曲下型６の上面の湾曲面に倣った姿で当接して肩バット中材ｗ１を所望の形に押圧して挾持するので、肩パット素材Ｗは所望の形で挾持具ａにしっかりと挾持される。この挾持された肩パット生地ｗ２，ｗ３の周囲を湾曲習い型７０周縁に添わせて、習いミシン掛けして肩パット素材Ｗを縫製して肩パット体を形成する。
　　　【００１１】
　　【実施例】
　図面は本発明に好適な実施の一例を示したもので、上部握持体１と下部握持体２を握持することにより上部挾持板３と下部挾持板４で肩パット素材Ｗを扶持できるように扶持体ａを設ける。図示した実施例では上部握持体１と下部握持体２を首部９で枢着し、この上部挾持体３，下部扶持体４より夫々前方に細長平板状の上部挾持板３，下部挾持板４を突設状態に連設し、上部挾持板３の下面に肩パット体形成用の湾曲上型５の中程を止着し、下部挾持板４の上面に肩パット体形成用の湾曲下型６と湾曲下型６の下側に添着した肩パット縫製用の湾曲習い板７の中程を止着する。
　　　【００１２】
　尚、符号８は上部挾持板３，下部挾持板４を挾持方向に付勢するスプリングである。
　　　【００１３】
　図示した湾曲下型６は基端部の湾曲面が人の肩先上面部の湾曲面に、先端部の湾曲面が人の頚根分の湾曲面に柔らかに当接し、且つ上から見た輪郭が基端縁を底辺とした円弧カット片状に製形した透明合成樹脂板で形成し、この湾曲下片６の下側に同じく透明合成樹脂板で形成し湾曲下片６０円弧状周縁より所定の長さだけ短い周縁の肩パット縫製用の湾曲習い板７を添着する。
　　　【００１４】
　また、この湾曲下片６の輪郭とほぼ同形で縫製した肩パット体の上面が洋服を着た人の体形を美しく見せるよう配慮した湾曲度をもった透明合成樹脂板製の湾曲上型５を設ける。
　　　【００１５】
　また、上部扶持板３に湾曲上型５を、下部扶持板４に湾曲下型６と湾曲下型６の下側に添着した湾曲習い板７を止着する手段として両面接着テープを使用し、夫々の体形に合った各種の湾曲度と輪郭を持つ湾曲上型５，湾曲下型６と湾曲下型６の下側に添着した湾曲習い板７を製作し、この湾曲上型５，湾曲下型６と湾曲下型６の下側に添着した湾曲習い板７を使用目的により適宜上部挾持板３，下部挾持板４に取り替え止着するように設ける。
　　　【００１６】
　また、パット綿体のような弾力があり柔らかい肩パット中材Ｗ１を円弧カット片状の上下の肩パット生地Ｗ２，Ｗ３間に挟んで肩パット素材Ｗを形成する。
　　　【００１７】
　この肩パット素材Ｗを挾持具ａの上部挾扶持板３に止着した湾曲上型５と下部扶持板４に止着した湾曲習い板７を下側に添着した湾曲下型６とにより揃った状態に重合して挾持し、この挾持された肩パット素材Ｗを図４のようにミシン機構１０のミシン部の押さえ金１１の端縁を湾曲習い板７０周縁に当接ガイド運行せしめながら、肩パット生地Ｗ２，Ｗ３の円弧状の周囲を所望の縫い組織で習いミシン掛けして肩パット素材Ｗを縫製して所望の肩パット体を製造する。
　　　【００１８】
　尚、符号１２は肩パット素材Ｗの湾曲下型６上の挾持位置を規制するストッパである。
　　　【００１９】
　　【発明の効果】
　請求項１記載の効果について説明する。
　　　【００２０】
　本発明は上記のように構成したので、肩パット素材を肩パット体形成用の湾曲上型と肩パット体成型用の湾曲下型とこの湾曲下型の下側に添着した肩パット縫製用の湾曲習い板との間に挾持すると、肩パット素材の上面が湾曲上型の下面の湾曲面に、肩パット素材の下面が湾曲下型の上面の湾曲面に倣った所望の形で抑圧成形されて挾持具にしっかりと挾持されるので、湾曲下型の下側に添着した肩パット縫製用の湾曲習い板により肩パット素材を習い縫製するとき挾持具に挾持された所望の形のままで肩パット素材を縫製することができるので、今までの手作業により肩パット体を縫製するときのように、肩パット体の上下の湾曲度の違いによりどちらかの肩パット生地に皺ができたり、出来上がりの形が崩れたりすることがなく肩パット体を縫製でき、且つそれぞれの体形に合った各種の湾曲度と輪郭を持つ湾曲上型，湾曲下型と湾曲下型の下側に添着した湾曲習い板を各種製作して夫々の上部挾持板，下部挾持板に止着し、使用目的に合った肩パット体を縫製することができる構造簡単で実用的で秀れた肩パット素材の挾持具となる。
　　　【００２１】
　請求項２記載の効果について説明する。
　　　【００２２】
　挾持具の上部挾持仮に止着した湾曲上型と下部挾持板に止着した湾曲下型との間に肩パット素材を揃った状態で重合して挾持すると、肩パット素材の上の肩パット生地が湾曲上型の下面の湾曲面に、下の肩パット生地が湾曲下型の上面の湾曲面に倣った姿で当接して肩パット中材が押圧された状態で挾持され、肩パット素材は所望の形で挾持具にしっかりと挾持される。この状態で上下の肩パット生地の周囲を湾曲習い型で習いミシン掛けして肩パット素材を縫製できるので、出来上がった肩パット体は肩パット中材の弾性圧縮復元力により夫々の湾曲上型の下面の湾曲形状と湾曲下型の上面の湾曲形状に倣ったふっくらとした所望の形の肩パット形状に縫製され、また湾曲習い板の周縁に添わせて習いミシン掛けすることができるので、縫製された肩パット体は形が常に均一で、しかも従来の肩パット体の縫製のように高度の技術を要する熟練した職人の手作業が必要でなく、能率が良く量産が可能で実用的な、秀れた肩パット素材の挾持具を使用した肩パット体の縫製法となる。
【図面の簡単な説明】
　　【図１】
　本実施例の挾持具と肩パット素材の斜視図である。
　　【図２】
　本実施例の肩パット素材を挾持具で挾持した状態を示す一部を切欠ける側面図である。
　　【図３】
　上記の一部を切欠ける説明用正面図である。
　　【図４】
　肩パット素材を挾持具で挾持してミシン掛け縫製する状態の一部を切欠ける説明用正面図である。
　　【図５】
　肩パット体の斜視図である。
　　【符号の説明】
　１　上部挾持体
　２　下部挾持体
　３　上部挾持板
　４　下部挾持板
　５　湾面上型
　６　湾曲下型
　７　湾曲習い板
　ａ　挾持具
　Ｗ　肩パット素材
　Ｗ１　肩パット中材
　Ｗ２，Ｗ３　肩パット生地